(57)【特許請求の範囲】
【請求項１】
地面に打設可能な杭と、
該杭に挿通される台座と、
該台座の下部に設けられ、前記杭を地面から抜いた状態において前記台座を移動可能に支持する移動装置と、
前記台座から上方に延設される支柱と、
該支柱に対して任意の仰俯角で取り付けられた太陽光パネルと、を備え、
前記支柱と台座の間に軸受けを設け、前記支柱と前記台座が相対的に回転可能であり、かつ、前記台座と杭が相対的に回転可能であり、前記杭の軸周りに前記台座、支柱、及び太陽電池パネルが相対的に回転可能である太陽光発電装置。
【発明の詳細な説明】
【技術分野】
【０００１】
本発明は太陽光パネルを用いて発電する装置に関する。
【背景技術】
【０００２】
従来、太陽光パネルの設置は、コンクリートを打設して基礎を作成し、その上に架台を設けて太陽光パネルを設置する等の方法がとられていた。また、特許文献に公開されているものとしても、特開第２０００−１０１１２３号公報、特開２０１０−９８２４１号公報および特開２０１０−２７９７９号公報のように、太陽光パネルの設置には、コンクリートによる基礎やコンクリート製の基礎ブロックを用いるものであった。
【先行技術文献】
【特許文献】
【０００３】
【特許文献１】特開２０００−１０１１２３号公報
【特許文献２】特開２０１０−９８２４１号公報
【特許文献３】特開２０１０−２７９７９号公報
【発明の概要】
【発明が解決しようとする課題】
【０００４】
しかしながら、太陽光パネルの設置現場においてコンクリートを打設することは、養生期間の確保等による施工期間の長期化を招き、また、あらかじめ用意した基礎ブロックを用いる場合でもその重量により作業時間は長く、また重労働なものであった。
【０００５】
そこで本発明は、コンクリート基礎を現場施工によっても基礎ブロックによっても用いることなく、簡易迅速に太陽光パネルを設置することができ、その際に太陽光パネルの取付け角の調節を容易なものとすることを課題とする。
【課題を解決するための手段】
【０００７】
上記課題に鑑み、本発明は、地面に打設可能な杭と、該杭に挿通される台座と、該台座の下部に設けられ、前記杭を地面から抜いた状態において前記台座を移動可能に支持する移動装置と、前記台座から上方に延設される支柱と、該支柱に対して任意の仰俯角で取り付けられた太陽光パネルと、を備え、前記支柱と台座の間に軸受けを設け、前記支柱と前記台座が相対的に回転可能であり、かつ、前記台座と杭が相対的に回転可能であり、前記杭の軸周りに前記台座、支柱、及び太陽電池パネルが相対的に回転可能である太陽光発電装置である。
【発明の効果】
【０００９】
本発明の太陽光発電装置は、土台の基礎工事等を伴うことなく迅速簡易に設置することができ、また、太陽光パネルを太陽光に追従させることが容易となる。
【図面の簡単な説明】
【００１０】
【図１】本発明による実施形態１の太陽光発電装置１の設置状態における正面図である。
【図２】同実施形態１の太陽光パネル架台１の底面図である。
【図３】同実施例１の太陽光パネル架台１の設置の様子を示す正面図である。
【図４】同実施例１の太陽光パネル架台１の回転の様子を示す平面図である。
【図５】本発明による実施形態２の太陽光発電装置１０１の設置状態における正面図である。
【図６】本発明による実施形態３の太陽光発電装置２０１の設置状態における正面図である。
【図７】本発明による実施形態４の太陽光発電装置３０１を複数個並列的に設置した状態における平面図である。
【図８】本発明による実施形態４の太陽光発電装置３０１の左側面図である。
【発明を実施するための形態】
【００１１】
本発明の実施形態１による太陽光発電装置１について図１〜図４を参照して説明する。
太陽光発電装置１は図１〜図４に示す通り、地面に打設可能な杭２と、
杭２に挿通される台座３と、
台座３の下部に設けられ、杭２を地面から抜いた状態において台座３を移動可能に支持する移動装置４と、
台座３から上方に延設される支柱５と、
支柱５に対して任意の仰俯角で取り付けられた太陽光パネル６と、を備え、
支柱５が台座３が杭２に対して杭２の軸周りに回転可能となっている。各部材はボルト締結により組立分解自在に構成され、ボルトの雌ねじ側はナット、スプリングワッシャ、平ワッシャ等を適宜用いる。また、適宜の箇所に溶接等を用いてもよい。なお、杭２がなく、杭の回りを回転しないものでもよく、図示は省略する。以下、各部について説明する。
【００１２】
杭２は、図１に示す通り、地面に対して垂直に打設される丸断面の長尺棒状部材である。杭２としては鉄杭が好適であるが、これに限らず用いることができる。
【００１３】
台座３は、図１に示す通り、支柱５の土台となる部分であり、設置時においては杭２に挿通される部材である。図２に示す通り、台座３はその平面中央において杭２に挿通される。台座３は、図１，図２に示す通り、３本の下部フレーム３１ａ，３１ｂ，３１ｃと、その上に設けられる３本の上部フレーム３２ａ，３２ｂ，３２ｃとからなる。
【００１４】
台座３の底面の四隅には、図１，２に示す通り、移動装置４が設けられる。移動装置４は回転体を有することにより積載物を移動するためのものであり、各々の回転体は回転方向を変えることのできる自在輪である。移動装置４としては中実のゴム車輪が用いているが、空気入りのゴム車輪を採用して大型化してもよい。より具体的には、重量用キャスターやボールキャスター、空気タイヤ等を用いることができる。移動装置４は台座３の四隅の他、これと異なる箇所に設けることもできる。
【００１５】
台座３は、上部フレーム３２ｂの中央上部に設けられた軸受け３３を介して杭２に挿通される。軸受け３３としては各種の転がり軸受け、滑り軸受け等を用いることができる。軸受け３３は下部フレーム３１ｂおよび上部フレーム３２ｂの中央に孔を空け、その上部に設けているが、下部フレーム３１ｂや上部フレーム３２ｂに埋設してもよい。台座３に挿通した杭２は、この軸受け３３において軸方向に回転自在となる。
【００１６】
支柱５は、図１に示す通り、軸受け３３の上方に延設される柱状部材である。この実施形態では支柱５と軸受け３３は分解可能に固設している。
【００１７】
太陽光パネル６は、図１に示す通り、ブラケット７を介して支柱５に取り付けられている。太陽光パネル６はブラケット７によって、支柱５に対して任意の仰俯角に調整可能である。
【００１８】
太陽光発電装置１の使用について説明する。太陽光発電装置１は設置前の移動可能な状態において、杭２と、台座３ないし太陽光パネル６が一体となった本体１０とに分かれている。設置に当ってはまず、設置する任意の場所に杭２を地面に打ち込む（図３（ａ）参照）。次に、杭２の上部を軸受け３３に通すようにして、本体１０を杭２の上から挿し込み、太陽光発電装置１として設置する（図３（ｂ）参照）。設置した太陽光発電装置１は、図４に示す通り、杭２を回転軸としてその周りに回転可能であり（図４のＲ方向）、太陽光の方向に追従させる。太陽光発電装置１の撤収は、本体１０を持ち上げて杭２から引き抜き、つづいて杭２を引き抜くことで完了する。
【００１９】
複数個の太陽光発電装置１を縦横に並列的に設置して使用することもできる。この際、台座３の回転範囲に留意して回転時に干渉することのないようにする（図４参照）。また、太陽光発電装置１に駆動装置および制御装置を設け、自動的に太陽光を追尾させることとしてもよい。
【００２０】
太陽光発電装置１の効果について説明する。上述したように、太陽光発電装置１は任意の場所に杭２を打設することによって設置することができ、その設置作業は大掛かりな基礎工事を伴うことなく、非常に短時間かつ容易に行うことができるものである。また、太陽光発電装置１の撤収も非常に簡便であり、本体１０は移動装置４を転がして容易に移動させることができるため、太陽光発電装置１は携帯用電源として活用することができる。台座３、支柱５、太陽光パネル６の各部の固設を分解可能なものとすれば、杭２への挿し込みがさらに容易となる。
【００２１】
また、設置した太陽光発電装置１は軸受け３３に挿通された杭２を回転軸として回転可能であり、太陽光パネル６を太陽光に追従させることが容易である。この回転はそれぞれ自在輪である移動装置４によって荷重を支持しつつ行うため、非常に円滑なものとなる。
【００２２】
上記の実施形態１を変更した実施形態２による太陽光発電装置１０１について図５を参照して説明する。太陽光発電装置１０１では、支柱２５０と台座２３０との間に軸受け２３３を設け、支柱２５０の軸周りに相対的に回転可能としたものである。このとき台座２３０と杭２２０との間が相対的に回転可能であっても固定されたものであってもよいが、この回転を想定する場合は下部フレーム２３１ｂおよび上部フレーム２３２ｂに適宜ブッシュ等を設けるとよい。他の点については実施形態１の太陽光発電装置１と同様であるため、その説明を援用する。
【００２３】
上記の実施形態１を変更した実施形態３による太陽光発電装置２０１について図６を参照して説明する。太陽光発電装置２０１では、太陽光パネル２６０と支柱２５０との間に軸受け２３３を設け、支柱２５０の軸周りに相対的に回転可能としたものである。このとき、支柱２５０と台座２３０、台座２３０と杭２２０との間においても相対的に回転可能として、適宜ブッシュ等を設けてもよい。他の点については実施形態１の太陽光発電装置１と同様であるため、その説明を援用する。
【００２４】
上記の実施形態１を変更した実施形態４による太陽光発電装置３０１について図７を参照して説明する。太陽光発電装置３０１は台座３３０を平面視で円形にしたものであり、図７はこれを複数個併設した状態を示す平面図である。台座３３０を円形とすることにより、太陽光発電装置３０１を複数個併設する場合であっても、台座の回転範囲を確かめることなく、回転しても互いに干渉することのない設置位置が即座にわかって便利である。他の点については実施形態１の太陽光発電装置１と同様であるため、その説明を援用する。
【００２５】
上記の実施形態１を変更した実施形態５による太陽光発電装置４０１について図８を参照して説明する。太陽光発電装置４０１は一つの杭４２０および台座４３０に対して二つの支柱４５０ないし太陽光パネル４６０を設けたものである。軸受け４３３は実施形態２と同様に台座４３０と支柱４５０との間に設けているが、実施形態３と同様に支柱と太陽光パネル４６０との間に設けることもできる。他の点については実施形態１の太陽光発電装置１と同様であるため、その説明を援用する。
【００２６】
なお、本発明の実施の形態は、上記の実施例に何ら限定されるものではなく、本発明の技術的思想を逸脱しない範囲において、改変等を加えることができるものである。また、それらの改変、均等物等も本発明の技術的範囲に含まれ、該技術的範囲に属する限り種々の形態を採り得る。
【符号の説明】
【００２７】
１，１０１，２０１，３０１，４０１・・・太陽光発電装置    
２，２２０，４２０・・・杭      ３，２３０，３３０，４３０・・・台座    
４・・・移動装置        ５，２５０，４５０・・・支柱    
６，２６０，４６０・・・太陽光パネル      ７・・・ブラケット      
１０・・・本体      ３１ａ，３１ｂ，３１ｃ，２３１ｂ・・・下部フレーム
３２ａ，３２ｂ，３２ｃ，２３２ｂ・・・上部フレーム    
３３，２３３，４３３・・・軸受け      
【図１】
0005976706.tif 000002
【図２】
0005976706.tif 000003
【図３】
0005976706.tif 000004
【図４】
0005976706.tif 000005
【図５】
0005976706.tif 000006
【図６】
0005976706.tif 000007
【図７】
0005976706.tif 000008
【図８】
0005976706.tif 000009